(57)【要約】【課題】暗電流を低減できるようにした電子制御装置を提供する。【解決手段】電源ＩＣ１１４はバッテリ１７により電源供給されている。この電源ＩＣ１１４は、情報を保持するマイコン１１６のＳＲＡＭ２２に電源供給する。昇圧回路５は、インジェクタ２を駆動するためにバッテリ１７の電圧ＶBATTより高い昇圧電圧ＶBOOSTを出力するが、この昇圧電圧出力ノードＮ１は、ダイオード１１３を通じてバッテリ１７による電源供給ラインＬ１に並列接続されている。昇圧電圧ＶBOOSTに応じた電圧が電源ＩＣ１１４の電源入力ノードＮｎに入力されるようになり、電源ＩＣ１１４が昇圧電圧ＶBOOSTに応じた電圧を用いて電源電圧ＶOSをマイコン１１６に供給できる。【選択図】図２
2018084198.tif 000002
【特許請求の範囲】
【請求項１】
バッテリ（１７）により電源供給され、情報を保持する情報保持回路（１６、１１６、２２）に電源供給する情報保持用電源部（１４、１１４、２１４、３１４）と、
インジェクタ（２）を駆動するために前記バッテリの電圧（ＶBATT）より高い昇圧電圧（ＶBOOST）が出力される昇圧回路（５）の昇圧電圧出力ノード（Ｎ１）を前記バッテリによる電源供給ライン（Ｌ１）に並列接続することにより前記昇圧電圧に応じた電圧を前記情報保持用電源部の電源入力ノード（Ｎｎ）に入力させるように接続する接続部（１３、１１３、２１３、３３３）と、
を備える電子制御装置。
【請求項２】
前記接続部（１３、２１３）は、前記昇圧回路の昇圧電圧出力ノードと前記情報保持用電源部の電源入力ノードとの間を通断する制御スイッチ（２１３）を備え、
前記インジェクタを駆動するときには前記制御スイッチをオフし、前記インジェクタを駆動していないときには前記制御スイッチをオンするスイッチ制御部（２３２）、をさらに備える請求項１記載の電子制御装置。
【請求項３】
前記接続部（１３、１１３）は、前記昇圧回路の昇圧電圧出力ノードと前記情報保持用電源部の電源入力ノードとの間に順方向にダイオード（１１３）、を備える請求項１または２記載の電子制御装置。
【請求項４】
前記接続部（１３、３３３）は、前記昇圧回路の昇圧電圧出力ノードと前記情報保持用電源部の電源入力ノードとの間に前記昇圧電圧を降圧して前記情報保持用電源部の電源入力ノードに入力させる降圧回路（３３３）、を備える請求項１から３の何れか一項に記載の電子制御装置。
【請求項５】
外部から前記情報保持用電源部により前記情報保持回路に出力する電源電圧を出力・停止する指令を受け付ける指令受付部（３１４）、をさらに備える請求項１から４の何れか一項に記載の電子制御装置。
【発明の詳細な説明】
【技術分野】
【０００１】
本発明は、電子制御装置に関する。
【背景技術】
【０００２】
一般に、例えば内燃機関を駆動するための電子制御装置は電磁弁を開閉して燃料を噴射制御する（例えば、特許文献１参照）。この特許文献１記載の制御装置によれば、内燃機関の停止指令から第１の所定時間が経過した後に燃料噴射弁からの燃料供給を停止すると共に、この第１の所定時間より長い第２の所定時間が経過した後にバッテリ電圧昇圧手段の作動を停止し、更にこの第２の所定時間より長い第３の所定時間が経過した後に制御装置のメインリレーを切断するようにしている。
【先行技術文献】
【特許文献】
【０００３】
【特許文献１】特開２０１５−１３２２６８号公報
【発明の概要】
【発明が解決しようとする課題】
【０００４】
ところで、特許文献１に示したように昇圧電圧を用いて電磁弁を駆動する方法を用いると、この駆動時の消費電力が大きくなる。このため、近年、省電力化することが求められているが、内燃機関の駆動を停止したときの非動作状態における暗電流はバッテリの劣化の要因となっている。
【０００５】
本発明の開示の目的は、バッテリによる暗電流を低減できるようにした電子制御装置を提供することにある。
【課題を解決するための手段】
【０００６】
請求項１記載の発明によれば、情報保持用電源部はバッテリにより電源供給されており、情報を保持する情報保持回路に電源を供給する。昇圧回路はインジェクタを駆動するためにバッテリの電圧より高い昇圧電圧を昇圧電圧出力ノードに出力するが、接続部は、この昇圧電圧出力ノードをバッテリによる電源供給ラインに並列接続することにより昇圧電圧に応じた電圧を情報保持用電源部の電源入力ノードに入力させるように接続している。これにより、情報保持用電源部は、昇圧電圧に応じた電圧を用いて情報保持回路の電源電圧を生成できるようになり、バッテリによる暗電流を低減できる。
【図面の簡単な説明】
【０００７】
【図１】第１実施形態の電子制御装置の機能ブロック図
【図２】電子制御装置の電気的構成図
【図３】流れを模式的に示すタイミングチャート
【図４】噴射制御時における各部の信号及びスイッチのオン・オフ状態、及び、インジェクタのコイルに流れる電流変化を示すタイミングチャート
【図５】第２実施形態の電子制御装置の電気的構成図
【図６】流れを模式的に示すタイミングチャート
【図７】第３実施形態の電子制御装置の電気的構成図
【図８】流れを模式的に示すタイミングチャート
【図９】第４実施形態の電子制御装置の電気的構成図
【図１０】流れを模式的に示すタイミングチャート
【図１１】第５実施形態の電子制御装置の電気的構成図
【図１２】流れを模式的に示すタイミングチャート
【図１３】第６実施形態の電子制御装置の電気的構成図
【図１４】流れを模式的に示すタイミングチャート
【図１５】第７実施形態の電子制御装置の電気的構成図
【図１６】流れを模式的に示すタイミングチャート
【発明を実施するための形態】
【０００８】
以下、電子制御装置の幾つかの実施形態について図面を参照しながら説明する。以下に説明する各実施形態において、同一又は類似の動作を行う構成については、同一又は類似の符号を付して必要に応じて説明を省略する。なお、下記の実施形態において同一又は類似する構成には、符号の十の位と一の位とに同一数字を付して説明を行っている。
【０００９】
（第１実施形態）
図１は電子制御装置（以下ＥＣＵと略す）１の構成を機能ブロック図により示し、図２はこのＥＣＵ１の具体的な電気的構成例をＥＣＵ１０１として示している。
【００１０】
図１及び図２のＥＣＵ１、１０１は、例えば自動車などの車両に搭載されたＮ（≧１）気筒の内燃機関の気筒内に燃料を直接的に噴射供給するＮ個のソレノイド式のインジェクタ２を駆動するエンジンＥＣＵであり、インジェクタ２を構成する噴射弁を開弁・閉弁するための電磁コイル（以下、コイルと略す）３の通電開始タイミング及び通電時間を制御する。噴射弁は常閉型の電磁弁であり、コイル３に電流が流されることで噴射弁は開弁する。噴射弁には燃料ポンプにより加圧された燃料が供給され開弁したときには加圧された燃料を内燃機関に供給する。これによりインジェクタ２は内燃機関に燃料を噴射し混合気を形成できる。本実施形態において、ＥＣＵ１、１０１はＮ＝１気筒とした例を示している。
【００１１】
図１に示すＥＣＵ１は、制御部４、昇圧回路５、放電スイッチ６、定電流スイッチ７、気筒選択スイッチ８と共に、ダイオード９、１０、電源フィルタ１１、バッテリ電源通電用のダイオード１２、接続部１３、電源部１４、コンデンサ１５、及び、情報保持回路１６を備える。このＥＣＵ１には、バッテリ１７が接続されている。バッテリ電圧ＶBATTは、その標準値が例えば１２Ｖ程度であり、バッテリ１７のバッテリ電圧ＶBATTをバッテリ入力端子１ａに入力すると共に、メインリレー１８を通じてメインの電源電圧ＶＢを電源入力端子１ｂに入力するように構成されている。バッテリ電圧ＶBATTは、電源供給ラインＬ１に沿うと共にダイオード１２のアノードカソード間を通じて電源部１４の電源入力ノードＮｎに常時電源として与えられる。
【００１２】
図１の制御部４は、例えば図２に示すように制御ＩＣ１０４により構成される。この制御ＩＣ１０４は、例えばＡＳＩＣ（Application Specific Integrated Circuit）により構成され、図示しないロジック回路又はＣＰＵ等の制御主体と各種メモリ（ＲＡＭ、ＲＯＭ等）を備えると共に、予め定められる閾値と電流検出抵抗の検出電流とを比較する比較部、など（何れも図示せず）を備える。制御ＩＣ１０４は、メモリに記憶されている制御プログラムを実行することにより、ハードウェア及びソフトウェアに基づいて各種制御を実行するように構成される。
【００１３】
図１の電源部１４は、情報保持用電源部として構成されるもので、例えば図２に示すように電源ＩＣ１１４により構成される。例えば、この電源ＩＣ１１４には、イグニッションスイッチ等の電源スイッチ１９が接続されており、この電源スイッチ信号ＩＧＳＷのオン・オフを受付ける。電源スイッチ信号ＩＧＳＷがオンになると、電源ＩＣ１１４はメインリレー１８をオン制御し、バッテリ電圧ＶBATTをメインの電源電圧ＶＢとして電源入力端子１ｂに入力させる。
【００１４】
電源ＩＣ１１４は、電源入力ノードＮｎに入力される電圧ＶNが所定電圧（例えば、数Ｖ）以上となると、所定電圧を定電圧出力する特性を備えており、情報保持回路１６（後述のマイクロコンピュータ１１６に相当）が情報を保持するための電源電圧ＶOSを出力する。この電源電圧ＶOSはコンデンサ１５に蓄積されることで定電圧化される。また、電源ＩＣ１１４は制御ＩＣ１０４の電源電圧も出力するが、この詳細説明は省略する。
【００１５】
図１の情報保持回路１６は、図２に示すようにマイクロコンピュータ（以下、マイコンと略す）１１６により構成される。図２に示すように、このマイコン１１６は、例えばＣＰＵ２０、スタンバイＲＡＭ（以下、ＳＲＡＭ）２１、及び、ＥＥＰＲＯＭ２２を備える。ＣＰＵ２０は、ＲＡＭ及びＲＯＭ（図示せず）を内蔵しており、ＲＯＭに記憶されているプログラムを実行することで各種処理を実行する。マイコン１１６は、図示しない入力回路を通じて、アクセル開度、スロットル開度、クランク角度、水温、イグニッションスイッチ信号等の車両の運転状態を示す信号を各種センサ及び各種スイッチ等（図示せず）から必要に応じて入力し、これらの信号に応じて噴射指令信号を制御ＩＣ１０４に出力する。制御ＩＣ１０４は噴射指令信号を入力するとインジェクタ２の噴射弁から燃料を噴射制御する。またマイコン１１６は、制御ＩＣ１０４とシリアル通信可能に接続されており、制御ＩＣ１０４が噴射制御したときの実噴射量の学習値等の各種情報を、制御ＩＣ１０４に通信処理できる。
【００１６】
ＳＲＡＭ２２は、例えば過去（例えば前回）の電源スイッチ１９のオン時において例えばアイドル回転速度が目標回転速度に釣り合うために必要な実噴射量の学習値等を記憶する領域を備える。このＳＲＡＭ２２は、例えばバッテリ１７の交換により電力供給が途絶えたときには記憶データを消失するメモリである。ＥＥＰＲＯＭ２１は、書き換え可能な不揮発性メモリであり、バッテリ１７から電力供給が遮断されても記憶データを保持可能なメモリである。
【００１７】
また昇圧回路５は、メインの電源電圧ＶＢの電源入力端子１ｂから当該電源電圧ＶＢの供給ノードＮＢ及び電源フィルタ１１を介して接続されている。電源フィルタ１１は、例えばチョークコイル２３及びコンデンサ２４を備えて構成され、昇圧回路５に生じるスイッチングノイズを遮断する。
【００１８】
昇圧回路５は、インジェクタ２のコイル３に高電圧を印加し噴射弁を開弁するために設けられるものであり、インダクタ２５、昇圧スイッチ２６、ダイオード２７、及び、充電コンデンサ２８を主とした昇圧型のＤＣＤＣコンバータにより構成され、さらに電流検出抵抗２９、３０を備える。
【００１９】
昇圧スイッチ２６は、例えばＮチャネル型のＭＯＳトランジスタにより構成され、制御ＩＣ１０４からオン・オフ駆動される。電源電圧ＶＢの供給ノードＮＢとグランドノードＮＳとの間には、インダクタ２５、昇圧スイッチ２６を構成するＭＯＳトランジスタのドレインソース間、及び、電流検出抵抗２９が直列接続されている。制御ＩＣ１０４には電流検出抵抗２９の端子間電圧が入力されており、これにより制御ＩＣ１０４は、昇圧スイッチ２６、インダクタ２５に流れる電流を検出可能になっている。インダクタ２５と昇圧スイッチ２６との共通接続ノードには、ダイオード２７のアノードが接続されている。ダイオード２７のカソードは昇圧電圧ＶBOOSTを出力する昇圧電圧出力ノードＮ１とされており、この昇圧電圧出力ノードＮ１とグランドノードＮＳとの間には、充電コンデンサ２８と電流検出抵抗３０とが直列接続されている。
【００２０】
充電コンデンサ２８は、例えばアルミ電解コンデンサにより構成され、インダクタ２５からダイオード２７を通じて供給される電力を充電する。電流検出抵抗３０が充電コンデンサ２８に直列接続されており、制御ＩＣ１０４にはこの電流検出抵抗３０の端子間電圧が入力されている。これにより、制御ＩＣ１０４は充電コンデンサ２８の充電電流を検出可能になっている。
【００２１】
この充電コンデンサ２８の端子間電圧は、昇圧電圧出力ノードＮ１に出力される。この昇圧電圧出力ノードＮ１には放電スイッチ６が接続されている。この放電スイッチ６は、充電コンデンサ２８とインジェクタ２のコイル３の上流側端子１ｃとの間に接続され、充電コンデンサ２８からコイル３に当該充電コンデンサ２８の蓄積電荷を放電切替可能に接続されている。
【００２２】
この放電スイッチ６は、例えばＮチャネル型のＭＯＳトランジスタにより構成されており、このＭＯＳトランジスタのゲートは制御ＩＣ１０４に接続されており、そのドレインは昇圧回路５の昇圧電圧出力ノードＮ１に接続され、ソースはＥＣＵ１の上流側端子１ｃに接続されている。
【００２３】
また、電源電圧ＶＢの供給ノードＮＢと上流側端子１ｃとの間には、定電流スイッチ７とダイオード９とが直列接続されている。定電流スイッチ７は、例えばＮチャネル型のＭＯＳトランジスタを用いて構成される。定電流スイッチ７を構成するＭＯＳトランジスタのゲートは制御ＩＣ１０４に接続され、ドレインは電源フィルタ１１を通じて電源電圧ＶＢの供給ノードＮＢに接続され、ソースはダイオード９のアノードカソード間を通じてＥＣＵ１の上流側端子１ｃに接続されている。また、この上流側端子１ｃとグランドノードＮＳとの間には還流用のダイオード１０が逆方向接続されている。
【００２４】
ＥＣＵ１の上流側端子１ｃと下流側端子１ｄとの間には、駆動対象となるインジェクタ２のコイル３が外部に接続されている。下流側端子１ｄとグランドノードＮＳとの間には気筒選択スイッチ８が構成されている。気筒選択スイッチ８は例えばＮチャネル型のＭＯＳトランジスタにより構成されている。
【００２５】
気筒選択スイッチ８を構成するＭＯＳトランジスタは、そのドレインが下流側端子１ｄに接続されており、そのソースが電流検出抵抗３１に接続されている。気筒選択スイッチ８を構成するＭＯＳトランジスタは、そのドレインが下流側端子１ｄに接続されており、そのソースが電流検出抵抗３１に接続されている。
【００２６】
電流検出抵抗３１は、気筒選択スイッチ８を構成するＭＯＳトランジスタのドレインソース間に直列接続されている。この電流検出抵抗３１の端子間電圧は制御ＩＣ１０４に入力され、制御ＩＣ１０４は、電流検出抵抗３１の端子間電圧を検出することで、気筒選択スイッチ８、コイル３に流れる電流の情報を取得できる。
【００２７】
そして制御ＩＣ１０４は、昇圧スイッチ２６、放電スイッチ６、定電流スイッチ７、及び、気筒選択スイッチ８をオン・オフ制御し、電流検出抵抗２９〜３１に流れる電流を当該電流検出抵抗２９〜３１の端子間電圧により検出し、この検出信号に応じて噴射制御処理を実行する。
【００２８】
また、図１に示すように接続部１３が昇圧電圧出力ノードＮ１と電源部１４の電源入力ノードＮｎとの間に接続されている。接続部１３は、昇圧回路５の昇圧電圧出力ノードＮ１を電源供給ラインＬ１に並列接続することにより昇圧電圧ＶBOOSTに応じた電圧を電源ＩＣ１１４の電源入力ノードＮｎに入力させるように接続する。
【００２９】
本実施形態では、図１の接続部１３は、例えば図２に示すようにダイオード１１３により構成され、この図２に示すように、ダイオード１１３は昇圧電圧出力ノードＮ１から電源ＩＣ１１４の電源入力ノードＮｎに向けて順方向に接続されており、当該昇圧電圧出力ノードＮ１から電源入力ノードＮｎに向けて一方向に通電可能になっている。
【００３０】
上記構成の動作を説明する。図３は、電源スイッチ１９がオフからオンされ、その後オフされたときのタイミングチャートを示している。また、図４は、マイコン１１６から噴射指令信号が与えられたときに、制御ＩＣ１０４が噴射制御するときの放電スイッチ６及び定電流スイッチ７のオン・オフ状態、及び、インジェクタ２のコイル３に流れる電流変化を概略的に示している。
【００３１】
前述した図２の構成において、バッテリ１７は、ＥＣＵ１０１のバッテリ入力端子１ａにバッテリ電圧ＶBATTを常時出力する。図３のバッテリ電圧ＶBATTの電圧ＶBA0参照。このバッテリ電圧ＶBATTはダイオード１２を通じて電源ＩＣ１１４の電源入力ノードＮｎに入力される。
【００３２】
図３の期間Ｔ１１に示すように、電源スイッチ１９の電源スイッチ信号ＩＧＳＷがオフのときには、電子制御装置１０１の制御ＩＣ１０４は昇圧回路５を昇圧動作させることはない。このため、昇圧電圧ＶBOOSTはバッテリ電圧ＶBA0よりも大幅に下回る。電源ＩＣ１１４は、バッテリ電圧ＶBA0に応じた電圧ＶNを電源入力ノードＮｎに入力する。この電圧ＶNは、バッテリ１７の電圧ＶBA0−ダイオード１２の順方向電圧ＶＦとなる。電源ＩＣ１１４は、この電圧ＶNに応じて一定の電源電圧ＶOS0を生成し、マイコン１１６の電源電圧（例えば３．３Ｖ）ＶOSとして印加する。
【００３３】
マイコン１１６は、この電源電圧ＶOSを入力しているため、実噴射量の学習値などの情報をＳＲＡＭ２２に保持できる。なお、電源ＩＣ１１４は制御ＩＣ１０４の電源電圧（例えば５Ｖ）も生成して当該制御ＩＣ１０４に出力するが、この説明は省略する。このとき、バッテリ１７から流れ込む電流ＩBATTは一定の電流量ＩBA0となる。
【００３４】
この後、期間Ｔ１２に示すように、電源スイッチ１９の信号ＩＧＳＷがオフからオンになると、この電源スイッチ信号ＩＧＳＷが電源ＩＣ１１４に与えられ、電源ＩＣ１１４はメインリレー１８をオン制御する。メインリレー１８がオンされると、ＥＣＵ１０１には電源電圧ＶＢが供給開始される。
【００３５】
電源電圧ＶＢが供給されると、制御ＩＣ１０４は内燃機関に燃料を噴射するため、昇圧回路５に昇圧動作を行わせる。このとき、制御ＩＣ１０４は、比較的短い周期で昇圧スイッチ２６をオン・オフする。昇圧スイッチ２６のオン時には、インダクタ２５はエネルギを蓄積し、昇圧スイッチ２６のオフ時には、インダクタ２５のエネルギが充電コンデンサ２８に充電される。この動作が繰り返されることにより、昇圧電圧出力ノードＮ１の電圧が、バッテリ電圧ＶBATTを超える所定電圧（例えば６０〜７０［Ｖ］）に達するように上昇する。このときの昇圧回路５の昇圧スイッチ２６のスイッチング周期は、例えば後述の１回の噴射周期よりも大幅に短くなっている。
【００３６】
この後、図４に示すように、マイコン１１６が噴射指令信号を制御ＩＣ１０４に出力すると、制御ＩＣ１０４は、この噴射指令信号に合わせてインジェクタ２から燃料を噴射させる。具体的には、マイコン１１６が、図４のタイミングｔ２において噴射指令信号のアクティブレベル（例えば「Ｈ」）を出力すると、制御ＩＣ１０４は気筒選択スイッチ８をオン制御する。また制御ＩＣ１０４は、この気筒選択スイッチ８のオンタイミングと同時またはその直後に放電スイッチ６をオン制御する。気筒選択スイッチ８及び放電スイッチ６がオンされると、充電コンデンサ２８の充電電圧がコイル３に放電され、図４のタイミングｔ２〜ｔ３に示すように、コイル３の通電電流が上昇する。
【００３７】
制御ＩＣ１０４は、電流検出抵抗３１の端子間電圧を検出し、このコイル３の電流の上昇を検出する。そして、制御ＩＣ１０４は、図４のタイミングｔ３において、電流検出抵抗３１の端子間電圧を検出することでコイル３の通電電流がピーク電流閾値Ｉｐに達したことを検知すると放電スイッチ６をオフし、その後、ピーク電流Ｉｐよりも低い定電流範囲にコイル３の通電電流を調整するように定電流スイッチ７をオンオフ制御する。この定電流制御は、噴射指令信号がノンアクティブレベル（例えば「Ｌ」）となるまで繰り返される。１回の噴射制御処理は、このような流れを基本的な流れとして行われるが、エンジンを駆動するときには、このような噴射制御処理が繰り返し行われる。
【００３８】
この間、昇圧電圧ＶBOOSTは、放電スイッチ６がオンされたタイミングｔ２〜ｔ３において瞬時的に低下するものの、制御ＩＣ１０４が継続して昇圧スイッチ２６をオン・オフすることで昇圧電圧ＶBOOSTを一定の電圧ＶBO0まで復帰させている。このため、全体の流れを観察すれば、昇圧電圧ＶBOOSTは、図３に示されるように概ね一定の電圧ＶBO0（例えば、６０［Ｖ］〜７０［Ｖ］）に保たれることになる。
【００３９】
図３の期間Ｔ１２においては、昇圧電圧出力ノードＮ１の昇圧電圧ＶBOOSTがバッテリ電圧ＶBA0より高いため、電源ＩＣ１１４は昇圧電圧出力ノードＮ１に生じる昇圧電圧ＶBOOSTを用いて電源電圧ＶOSを生成しマイコン１１６に出力する。したがって、バッテリ１７から電源ＩＣ１１４に流れ込む電流ＩBATTは概ね０となる。
【００４０】
この後、図３の期間Ｔ１３に示されるように、エンジン停止のために運転者がイグニッションスイッチをオフすることで、電源スイッチ１９がオンからオフされると、電源ＩＣ１１４は、この電源スイッチ信号ＩＧＳＷの変化を受付けてメインリレー１８をオフ制御する。メインリレー１８がオフすると、ＥＣＵ１０１には電源電圧ＶＢが供給されなくなる。このとき制御ＩＣ１０４は制御動作を停止すると共に昇圧回路５の昇圧動作も停止させる。
【００４１】
昇圧回路５の昇圧電圧出力ノードＮ１は、ダイオード１１３を通じて電源ＩＣ１１４の電源入力ノードＮｎに接続されている。このため制御ＩＣ１０４が昇圧回路５の昇圧動作を停止させたとしても、昇圧回路５の昇圧電圧ＶBOOSTがバッテリ電圧ＶBATT（＝ＶBA0）より高い間、電源ＩＣ１１４は昇圧電圧出力ノードＮ１の電圧を用いて電源電圧ＶOSを生成できる。
【００４２】
この期間Ｔ１３においては、電源ＩＣ１１４が昇圧電圧出力ノードＮ１の電圧を用いて電源電圧ＶOSを生成するため、昇圧電圧出力ノードＮ１の昇圧電圧ＶBOOSTは徐々に低下するが、昇圧電圧ＶBOOSTがバッテリ電圧ＶBATT（＝ＶBA0）に近い電圧に達するまで、バッテリ電圧ＶBATTを電源とした動作用電力、情報保持用電力を必要としなくなり、バッテリ１７から流れ込む電流ＩBATTを低減、すなわち概ね０にできる。これにより暗電流を低減できる。
【００４３】
暗電流を低減可能な時間ｔ［ｓ］は、充電コンデンサ２８の容量をＣ［Ｆ］、ＳＲＡＭ２２の情報保持用の電流をＩ、とすると、時間ｔ＝Ｃ・Ｖ／Ｉとなり、この間、暗電流を低減できる。実用的な値を用いて算出すると、バッテリ１７を用いた暗電流を約数分〜数時間の間、節約できる。
【００４４】
その後の期間Ｔ１４においては、昇圧電圧ＶBOOSTが低下するため電源ＩＣ１１４は当該昇圧電圧ＶBOOSTを用いて電源生成できない。このとき、バッテリ電圧ＶBATTによる電流ＩBATTがダイオード１２を通じて電源ＩＣ１１４の電源入力ノードＮｎに流れ込む。このため、電源ＩＣ１１４の電源入力ノードＮｎの電圧は、概ねバッテリ１７の電圧ＶBA0−ダイオード１２の順方向電圧ＶＦとなる。これにより、電源ＩＣ１１４は、バッテリ１７の電圧ＶBA0を用いて電源電圧ＶOS0を生成できる。このとき、バッテリ１７から流れ込む電流ＩBATTは一定電流IBA0となる。
【００４５】
期間Ｔ１４において、昇圧電圧出力ノードＮ１の昇圧電圧ＶBOOSTは、他の回路（例えば、昇圧回路５内）で生じるリーク電流に応じてわずかに低下するものの、この低下度は期間Ｔ１３における電圧低下度に比較して小さい。このため、昇圧電圧ＶBOOSTは、概ねバッテリ電圧ＶBATTの標準的な電圧ＶBA0に保持されるようになる。
【００４６】
この後、例えば運転者がイグニッションスイッチを操作することに応じて再度電源スイッチ１９がオンされれば、昇圧電圧ＶBOOSTが再度大きくなるが、期間Ｔ１２以降と同様の動作となるため、この説明は省略する。
【００４７】
＜比較例＞
特許文献１記載の技術によれば、電子制御装置の電源がオフされているときにおいても昇圧電圧は保持されるようになっている。このため、この昇圧電圧に基づくエネルギは、接続回路における自然放電、回路のリーク電流により消費されてしまうことになる。
【００４８】
＜本実施形態の概念的なまとめ＞
本実施形態のＥＣＵ１０１によれば、接続部１３は、昇圧回路５の昇圧電圧ＶBOOSTの昇圧電圧出力ノードＮ１をバッテリ電圧ＶBATTによる電源供給ラインＬ１に並列接続して当該昇圧電圧ＶBOOSTに応じた電圧を電源ＩＣ１１４の電源入力ノードＮｎに入力させている。これにより、比較例では自然放電又は回路のリーク電流により消費されていたエネルギを、マイコン１１６内のＳＲＡＭ２２のメモリ保持用のエネルギとして使用することができ、ＥＣＵ１０１で消費される暗電流を低減できる。
【００４９】
また、昇圧回路５の昇圧電圧ＶBOOSTの昇圧電圧出力ノードＮ１と電源ＩＣ１１４の電源入力ノードＮｎとの間に順方向にダイオード１２を備えている。これにより、昇圧回路５の昇圧電圧ＶBOOSTに基づく電流を電源ＩＣ１１４の電源入力ノードＮｎに入力させることができる。また、昇圧電圧ＶBOOSTに基づいて生成される電圧が低下したときには、バッテリ電圧ＶBATTによる電流ＩBATTを電源ＩＣ１１４の電源入力ノードＮｎに入力させることができる。
【００５０】
（第２実施形態）
図５及び図６は第２実施形態の追加説明図を示している。図５は図２に代わる電気的構成図を概略的に示している。この図５に示す電子制御装置２０１は、第１実施形態のダイオード１１３に代えて制御スイッチ２１３を設けており、また電源ＩＣ２１４の内部にスイッチ制御部２３２を設けている。スイッチ制御部２３２は、制御スイッチ２１３をオン・オフ制御可能になっている。制御スイッチ２１３はノーマリーオン特性を備えるスイッチであり、スイッチ制御部２３２が制御スイッチ２１３をオフ制御しないときには制御スイッチ２１３はオン状態に保持される。その他の構成は、前述実施形態と同様であるため説明を省略する。なお、本実施形態において、図１の接続部１３に対応した構成は、図５における制御スイッチ２１３、及び、必要に応じてスイッチ制御部２３２により構成される。
【００５１】
図６は動作を概略的に示すタイミングチャートを示しており、期間Ｔ２１〜Ｔ２４は前述実施形態のＴ１１〜Ｔ１４に対応した期間を示している。バッテリ電圧ＶBATTは電圧ＶBA0に保持されているものとして説明を行う。
【００５２】
電源スイッチ１９がオフされているときに制御スイッチ２１３はオンされている。図６の期間Ｔ２１において、電源スイッチ１９の電源スイッチ信号ＩＧＳＷがオフのときには、電子制御装置２０１の昇圧回路５は動作していないため、昇圧電圧ＶBOOSTはバッテリ電圧ＶBA0よりも大幅に下回る。このため電源ＩＣ２１４は、バッテリ電圧ＶBA0に応じた電圧ＶNを入力すると、この電圧ＶNに応じて一定の電圧ＶOS0を生成し、マイコン１１６の電源電圧ＶOSとして出力する。マイコン１１６は、この電源電圧ＶOSを入力するため実噴射量の学習値などの情報をＳＲＡＭ２２に保持できる。
【００５３】
期間Ｔ２２において、電源スイッチ１９がオフからオンされると、この電源スイッチ信号ＩＧＳＷが電源ＩＣ２１４に与えられる。電源ＩＣ２１４は、メインリレー１８をオン制御すると共にスイッチ制御部２３２により制御スイッチ２１３をオフ制御する。
【００５４】
メインリレー１８がオンされると、ＥＣＵ２０１には電源電圧ＶＢが供給される。電源電圧ＶＢが供給されると、制御ＩＣ１０４は昇圧回路５に昇圧動作させる。そして、マイコン１１６が噴射指令信号を制御ＩＣ１０４に出力すると、制御ＩＣ１０４は、この噴射指令信号に合わせてインジェクタ２から燃料を噴射させる制御を行う。このインジェクタ２を駆動している期間中、昇圧回路５の昇圧電圧出力ノードＮ１の昇圧電圧ＶBOOSTは、図４に示したように電圧変動することになる。なお、図６の期間Ｔ２２は図４の期間Ｔ１２に対応した期間を示しており、インジェクタ２を駆動している期間を示している。
【００５５】
図６に制御スイッチ２１３のオン・オフ状態ＳＳＷを示すように、期間Ｔ２２には、スイッチ制御部２３２が制御スイッチ２１３をオフ制御している。このため、昇圧電圧ＶBOOSTの電圧変動が、電源ＩＣ２１４の電源入力ノードＮｎへの供給電圧に影響することがなくなる。このため、バッテリ１７の電圧ＶBATTに応じた電圧ＶNを電源ＩＣ２１４に供給できる。
【００５６】
期間Ｔ２３において、電源スイッチ１９がオンからオフされると、電源ＩＣ２１４が電源スイッチ信号ＩＧＳＷの変化を受け付けメインリレー１８をオフ制御すると共に制御スイッチ２１３をオン制御する。メインリレー１８がオフされるときには、制御ＩＣ１０４は制御動作を停止すると共に昇圧回路５の昇圧動作も停止させる。制御ＩＣ１０４が昇圧回路５の昇圧動作を停止させると共に噴射制御も停止しているため、昇圧回路５の昇圧電圧ＶBOOSTは変動することなく安定的に出力される。
【００５７】
昇圧回路５の昇圧電圧出力ノードＮ１は制御スイッチ２１３を通じて電源ＩＣ２１４に接続されているため、制御ＩＣ１０４が昇圧回路５の昇圧動作を停止させたとしても、昇圧回路５の昇圧電圧ＶBOOSTがバッテリ電圧ＶBATT（＝ＶBA0）より高い間、昇圧電圧ＶBOOSTが電源ＩＣ２１４の電源入力ノードＮｎに入力されるようになり、電源ＩＣ２１４は昇圧電圧ＶBOOSTを用いて電源電圧ＶOSを生成できる。
【００５８】
この期間Ｔ２３においては、電源ＩＣ２１４が昇圧電圧ＶBOOSTを用いて電源電圧ＶOSを生成するため、昇圧電圧ＶBOOSTは初期電圧ＶBO0から徐々に低下するが、昇圧電圧ＶBOOSTがバッテリ電圧ＶBATT（＝ＶBA0）に近い電圧に達するまで、バッテリ電圧ＶBATTを電源とした動作用電力、情報保持用電力を必要としなくなり、バッテリ１７から流れ込む電流ＩBATTを低減、すなわち概ね０にできる。これにより、暗電流を低減できる。この後の期間Ｔ２４における動作は、第１実施形態の期間Ｔ１４における動作と同様であるため、その説明を省略する。
【００５９】
以上説明したように、本実施形態によれば、昇圧電圧ＶBOOSTの昇圧電圧出力ノードＮ１と電源ＩＣ２１４の電源入力ノードＮｎとの間を通断する制御スイッチ２１３を備え、インジェクタ２を駆動しているときには制御スイッチ２１３をオフし、インジェクタ２を駆動していないときには制御スイッチ２１３をオンするようにしている。
【００６０】
これにより、インジェクタ２を駆動しているときには昇圧回路５の昇圧電圧出力ノードＮ１から電源ＩＣ２１４への供給経路を断つことができ、昇圧回路５の昇圧電圧ＶBOOSTの変動の影響を受けることなく電源ＩＣ２１４は電源電圧ＶOSを生成できるようになり安定した電源電圧ＶOSをマイコン２１６に出力できる。
【００６１】
逆に、インジェクタ２を駆動していないときには昇圧回路５の昇圧電圧ＶBOOSTの昇圧電圧出力ノードＮ１から電圧変動の影響を受けていない昇圧電圧ＶBOOSTを電源ＩＣ２１４に供給できる。これにより、極力安定した電源電圧ＶOSを生成できると共に暗電流も低減できる。
【００６２】
（第３実施形態）
図７及び図８は、第３実施形態の追加説明図を示している。第３実施形態のＥＣＵ３０１は、昇圧回路５の昇圧電圧ＶBOOSTを降圧して電源ＩＣ１１４の電源入力ノードＮｎに入力させる降圧回路３３３を備えるところに特徴を備えており、ＥＣＵ３０１のその他の構成は第１実施形態のＥＣＵ１０１の構成と同様であるため、その説明を省略する。なお、本実施形態においては、図１の接続部１３に対応した構成は、図７に示すダイオード１１３及び降圧回路３３３により構成される。
【００６３】
降圧回路３３３は、昇圧回路５の昇圧電圧ＶBOOSTの昇圧電圧出力ノードＮ１と電源ＩＣ１１４の電源入力ノードＮｎとの間に構成されており、ＮＰＮ形のバイポーラトランジスタ３４、抵抗３５、及び、ツェナーダイオード３６を備える。昇圧電圧ＶBOOSTの昇圧電圧出力ノードＮ１とダイオード１１３のアノードとの間には、バイポーラトランジスタ３４のコレクタエミッタ間が接続されており、コレクタベース間には抵抗３５が接続されている。また、バイポーラトランジスタ３４のベースとグランドとの間にはツェナーダイオード３６が逆方向接続されている。降圧回路３３３は、ツェナーダイオード３６のツェナー電圧Ｖｚを調整することで昇圧電圧ＶBOOSTの降圧電圧Ｖｄを調整できる。
【００６４】
通常、昇圧回路５の昇圧電圧ＶBOOSTは、数十Ｖ（例えば６０［Ｖ］〜７０［Ｖ］）であり、電源ＩＣ１１４の出力電圧は、例えば数Ｖ（１．２［Ｖ］〜１．５［Ｖ］、３．３［Ｖ］等）である。このため、電源ＩＣ１１４の仕様上、電源入力ノードＮｎに入力する電源入力範囲の上限許容電圧が低い値となるときには、本実施形態のように降圧回路３３３を設けると良く、これにより、昇圧回路５の昇圧電圧ＶBOOSTの降圧電圧Ｖｄ−ＶＦ（例えば、１６Ｖ（＝Ｖｄ）−ダイオード１１３の順方向電圧Ｖｆ）を電源ＩＣ１１４の電源入力ノードＮｎに入力させることができる。これにより、電源ＩＣ１１４の電源入力ノードＮｎには、当該電源ＩＣ１１４の電源入力範囲の上限許容電圧を満たす電圧が入力されるようになる。
【００６５】
図８は動作をタイミングチャートで概略的に示しており、期間Ｔ３１〜Ｔ３４は前述実施形態のＴ１１〜Ｔ１４、Ｔ２１〜Ｔ２４に対応した期間を示している。バッテリ電圧ＶBATTは、標準電圧ＶBA0で一定に保持されているものとして説明を行う。
【００６６】
図８の期間Ｔ３１において、電源スイッチ１９の電源スイッチ信号ＩＧＳＷがオフのときには、バッテリ電圧ＶBATTの標準電圧ＶBA0（例えば１２Ｖ）−ダイオード１２の順方向電圧Ｖｆが電源入力ノードＮｎに電圧ＶNとして入力される。
【００６７】
図８の期間Ｔ３２においては、昇圧電圧ＶBOOSTの降圧電圧Ｖｄ（≒１６Ｖ）−ダイオード１１３の順方向電圧ＶＦが電源入力ノードＮｎに入力される。この電圧Ｖｄ−ＶＦがバッテリ電圧ＶBATT（＝ＶBA0）よりも高く調整されているときには、期間Ｔ３３において、電源スイッチ１９がオフされたときにも、電圧Ｖｄ−ＶＦが継続して入力される。また例えば、昇圧電圧ＶBOOSTの降圧電圧Ｖｄが意図的にバッテリ電圧ＶBATT（＝ＶBA0）よりも高く調整されていれば、期間Ｔ３３において、電源ＩＣ１１４は、昇圧電圧ＶBOOSTによる電力をバッテリ１７の電力よりも優先的に用いて電源電圧ＶOSを生成できる。暗電流を低減可能な時間ｔ［ｓ］は、充電コンデンサ２８の容量をＣ［Ｆ］、ＳＲＡＭ２２の情報保持用の電流をＩ、降圧回路３３３の降圧効率をη［％］とすると、時間ｔ＝Ｃ・Ｖ／Ｉ×ηとなり、この間、暗電流を低減できる。その他の動作は、前述実施形態と同様であるため、説明を省略する。なお図７には、降圧回路３３３と電源ＩＣ１１４の電源入力ノードＮｎとの間に別途ダイオード１１３を介在させている形態を示しているが、ダイオード１１３は必要に応じて設ければ良い。
【００６８】
本実施形態の電子制御装置３０１は、昇圧回路５の昇圧電圧ＶBOOSTを降圧し電源ＩＣ１１４の電源入力ノードＮｎに入力させる降圧回路３３３を備えている。これにより、電源ＩＣ１１４の仕様上、電源入力ノードＮｎの上限許容電圧がたとえ低かったとしても適切な電圧を入力させることができる。
【００６９】
また、降圧回路３３３の降圧電圧Ｖｄがバッテリ電圧ＶBATTよりも高く調整されているときには、電源ＩＣ１１４は昇圧電圧ＶBOOSTに基づく電力をバッテリ１７の電力よりも優先的に使用して電源電圧ＶOSを生成できる。
【００７０】
（第４実施形態）
図９及び図１０は第４実施形態の追加説明図を示している。図９のＥＣＵ４０１に示すように、第１実施形態の図２の構成と第２実施形態の図４の構成とを組み合わせるように構成しても良く、例えば、昇圧回路５の昇圧電圧出力ノードＮ１と電源ＩＣ２１４の電源入力ノードＮｎとの間にダイオード１１３と制御スイッチ２１３と直列接続すると良い。その他の構成は、前述実施形態と同様であるため説明を省略する。なお、本実施形態においては、図１の接続部１３に対応した構成は、図９におけるダイオード１１３及び制御スイッチ２１３により構成される。
【００７１】
図１０は動作を概略的に示すタイミングチャートを示しており、期間Ｔ４１〜Ｔ４４は前述実施形態のＴ１１〜Ｔ１４、Ｔ２１〜Ｔ２４等に対応した期間を示している。
期間Ｔ４１、Ｔ４２の動作は、期間Ｔ２１、Ｔ２２と同様であるため説明を省略する。
【００７２】
図１０の期間Ｔ４３においては、電源ＩＣ２１４が昇圧電圧出力ノードＮ１の昇圧電圧ＶBOOSTを用いて電源電圧ＶOSを生成するため、昇圧電圧出力ノードＮ１の昇圧電圧ＶBOOSTは初期電圧ＶBO0−ダイオード１１３の順方向電圧ＶＦから徐々に低下するが、昇圧電圧ＶBOOSTがバッテリ電圧ＶBATT（＝ＶBA0）に達するまで、電圧ＶBOOST―ＶＦが電源ＩＣ２１４の電源入力ノードＮｎに入力されるようになり、電源ＩＣ２１４はこの昇圧電圧ＶBOOSTに応じた電圧ＶBOOST−ＶＦを用いて電源電圧ＶOSを生成できる。これにより、バッテリ１７から流れ込む電流ＩBATTを低減、すなわち概ね０にでき、暗電流を低減できる。
【００７３】
また、期間Ｔ４４において、昇圧電圧ＶBOOSTがバッテリ電圧ＶBATTを下回った後にはバッテリ電圧ＶBATTが電源ＩＣ２１４の電源入力ノードＮｎに入力されるようになり、電源ＩＣ２１４がこのバッテリ電圧ＶBATT（＝ＶBA0）を用いて電源電圧ＶOSを生成する。これにより、マイコン１１６の内部のＳＲＡＭ２２の記憶情報を保持できる。
本実施形態においても、概ね前述実施形態と同様の作用効果を得られる。
【００７４】
（第５実施形態）
図１１及び図１２は第５実施形態の追加説明図を示している。図１１のＥＣＵ５０１に示すように、第２実施形態で説明した制御スイッチ２１３及びスイッチ制御部２３２と、第３実施形態で説明した降圧回路３３３と、を組み合わせるように構成しても良く、例えば昇圧回路５の昇圧電圧出力ノードＮ１と電源ＩＣ２１４の電源入力ノードＮｎとの間に制御スイッチ２１３と降圧回路３３３とを直列接続するように構成しても良い。その他の構成は、前述実施形態と同様であるため説明を省略する。なお本実施形態において、図１の接続部１３に対応した構成は、降圧回路３３３、制御スイッチ２１３、及び、必要に応じてスイッチ制御部２３２により構成される。
【００７５】
図１２はタイミングチャートを示しており、期間Ｔ５１〜Ｔ５４はそれぞれ前述実施形態のＴ１１〜Ｔ１４、Ｔ２１〜Ｔ２４、Ｔ３１〜Ｔ３４、Ｔ４１〜Ｔ４４に対応した期間を示している。
【００７６】
図１２の期間Ｔ５１においては、前述の期間Ｔ２１と同様の動作となるため説明を省略する。このとき、電源ＩＣ２１４の電源入力ノードＮｎにはバッテリ電圧ＶBATT（＝ＶBA0）−ダイオード１２の順方向電圧ＶＦが入力される。
【００７７】
図１２の期間Ｔ５２において、電源スイッチ１９の電源スイッチ信号ＩＧＳＷがオンになると、スイッチ制御部２３２は制御スイッチ２１３をオフ制御する。制御スイッチ２１３のオン・オフ状態ＳＳＷ参照。これにより、電源ＩＣ２１４の電源入力ノードＮｎには、バッテリ電圧ＶBATT（＝ＶBA0）−ダイオード１２の順方向電圧ＶＦが入力される。
【００７８】
また図１２の期間Ｔ５３において、電源スイッチ１９がオフされると、スイッチ制御部２３２が制御スイッチ２１３をオン制御する。これにより電源ＩＣ２１４の電源入力ノードＮｎには昇圧電圧ＶBOOSTの降圧電圧Ｖｄが入力される。前述実施形態に示しているため詳細説明を省略するが、本実施形態においても第２及び第３実施形態に示した作用効果を併せ持つようになる。
【００７９】
（第６実施形態）
図１３及び図１４は第６実施形態の追加説明図を示している。図１３のＥＣＵ６０１に示すように、第２実施形態で説明した制御スイッチ２１３と、第３実施形態で説明した降圧回路３３３と、第１実施形態で説明したダイオード１１３と、を組み合わせるように構成しても良く、例えば、昇圧回路５の昇圧電圧出力ノードＮ１と電源ＩＣ２１４の電源入力ノードＮｎとの間に制御スイッチ２１３と降圧回路３３３とダイオード１１３とを直列接続するように構成しても良い。その他の構成は、前述実施形態と同様であるため説明を省略する。なお、本実施形態においては、図１の接続部１３に対応した構成は、図１３におけるダイオード１１３、制御スイッチ２１３、降圧回路３３３及び必要に応じてスイッチ制御部２３２により構成される。
【００８０】
図１４はタイミングチャートを示しており、期間Ｔ６１〜Ｔ６４は、前述実施形態のＴ１１〜Ｔ１４、Ｔ２１〜Ｔ２４、Ｔ３１〜Ｔ３４、Ｔ４１〜Ｔ４４、Ｔ５１〜Ｔ５４に対応した期間を示している。
【００８１】
図１４の期間Ｔ６１においては、前述の期間Ｔ２１と同様の動作となるため説明を省略する。このとき、電源ＩＣ２１４の電源入力ノードＮｎにはバッテリ電圧ＶBATT（＝ＶBA0）−ダイオード１２の順方向電圧ＶＦが入力される。
【００８２】
図１４の期間Ｔ６２において、電源スイッチ１９の電源スイッチ信号ＩＧＳＷがオンになると、スイッチ制御部２３２は制御スイッチ２１３をオフ制御する。制御スイッチ２１３のオン・オフ状態ＳＳＷ参照。これにより、電源ＩＣ２１４の電源入力ノードＮｎには、バッテリ電圧ＶBATT（＝ＶBA0）−ダイオード１２の順方向電圧ＶＦが入力される。
【００８３】
また図１４の期間Ｔ６３において、電源スイッチ１９がオフされると、スイッチ制御部２３２は制御スイッチ２１３をオン制御する。これにより、電源ＩＣ２１４の電源入力ノードＮｎには昇圧電圧ＶBOOSTの降圧電圧Ｖｄ−ダイオード１１３の順方向電圧ＶＦが入力されるようになる。これにより、電源ＩＣ２１４は昇圧電圧ＶBOOSTを用いて電源電圧ＶOSを生成することができ、前述実施形態と同様の作用効果を奏する。
第１〜第３実施形態に示しているため詳細説明を省略するが、第１〜第３実施形態に示した作用効果を併せ持つようになる。
【００８４】
（第７実施形態）
図１５及び図１６は第７実施形態の追加説明図を示している。この第７実施形態のＥＣＵ７０１は、マイコン１１６のＳＲＡＭ２２に電源電圧ＶOSを出力／停止する指令を外部から受け付けるように構成したところに特徴を備える。
【００８５】
本実施形態のＥＣＵ７０１は、電源ＩＣ２１４に代わる電源ＩＣ３１４を備える。昇圧回路５の昇圧電圧ＶBOOSTの昇圧電圧出力ノードＮ１と電源ＩＣ３１４の電源入力ノードＮｎとの間に制御スイッチ２１３が接続されている。電源ＩＣ３１４は、情報保持用電源部と共に指令受付部としても機能するブロックであり、スイッチ制御部２３２を備え、スイッチ制御部２３２が制御スイッチ２１３をオン・オフ制御する。
【００８６】
第１実施形態に説明したように、マイコン１１６は、内蔵のＲＡＭ、ＲＯＭと共に、図２に示すＥＥＰＲＯＭ２１、及び、ＳＲＡＭ２２を備える。ＳＲＡＭ２２は、例えば実噴射量の学習値等を記憶するメモリであり、一般に、バッテリ１７の交換によりＥＣＵ７０１へのバッテリ１７による電力供給が遮断されたときには、ＳＲＡＭ２２は記憶データを消失するように用いられることが通例である。
【００８７】
前述実施形態に示したように、バッテリ電圧ＶBATTと共に昇圧電圧ＶBOOSTも電源ＩＣ２１４の電源入力ノードＮｎに入力されていると、バッテリ１７を交換したとしても、昇圧電圧ＶBOOSTが高く保持されている間、電源ＩＣ３１４は、マイコン１１６に情報保持用の電源電圧ＶOSを供給し続ける。このため、修理工場の作業者などがバッテリ１７の交換を行うことでＳＲＡＭ２２の記憶データを消去可能と判断していると都合が悪い。このため、作業者がバッテリ１７を交換することでＳＲＡＭ２２のメモリ記憶内容を消去したいという要望を叶えるためには、マイコン１１６への電源出力を停止するための指令部を外部に設けると良い。
【００８８】
そこで、本実施形態の構成では、図１５に示すように、ＥＣＵ７０１の外部に指令部として外部スイッチ３７が接続されている。この外部スイッチ３７は、ＳＲＡＭ２２の記憶データを消去選択可能にするスイッチである。この外部スイッチ３７は、電源ＩＣ３１４がマイコン１１６への電源電圧ＶOSの出力をオン・オフ（出力・停止）するために設けられている。電源ＩＣ３１４には、外部スイッチ３７が接続されている。
【００８９】
電源ＩＣ３１４は、この外部スイッチ３７によるオン・オフの信号を入力することで、電源電圧ＶOSの出力・停止の指令を受け付ける。外部スイッチ３７がオンされているときに、電源ＩＣ３１４は昇圧電圧ＶBOOSTを高く入力していれば電源電圧ＶOSを出力する。また、外部スイッチ３７がオフされているときには、電源ＩＣ３１４はたとえ昇圧電圧ＶBOOSTを高く入力していても電源電圧ＶOSの出力を停止する。これにより、電源ＩＣ３１４は、外部スイッチ３７のオン・オフ状態に応じて、昇圧回路５の昇圧電圧ＶBOOSTに基づく電源電圧ＶOSの出力・停止を切り替えることができる。
【００９０】
図１６には、外部スイッチ３７の状態をＥＳＷとして示している。図１６の期間Ｔ７１に示すように、電源スイッチ１９の電源スイッチ信号ＩＧＳＷがオフされている間、例えば外部スイッチ３７がオンされていたとしても、電源電圧ＶＢが入力されていないため、昇圧電圧ＶBOOSTは出力されない。しかし、バッテリ電圧ＶBATT（＝ＶBA0）がＥＣＵ７０１に入力されているため、電源ＩＣ３１４は、このバッテリ電圧ＶBATT（＝ＶBA0）をダイオード１２を通じて入力し電源電圧ＶOSを生成しマイコン１１６に情報保持用電圧として供給する。
【００９１】
図１６の期間Ｔ７２に示すように、電源スイッチ１９の電源スイッチ信号ＩＧＳＷがオンされると、スイッチ制御部２３２は外部スイッチ３７をオフ制御する。このため、昇圧電圧ＶBOOSTは電圧ＶBO0まで出力されるものの、電源ＩＣ３１４はバッテリ電圧ＶBATT（＝ＶBA0）を用いて電源電圧ＶOSを生成出力する。これによりＳＲＡＭ２２は情報を保持できる。マイコン１１６が電力消費するため、昇圧電圧ＶBOOSTは徐々に低下する。
【００９２】
図１６の期間Ｔ７３に示すように、電源スイッチ１９の電源スイッチ信号ＩＧＳＷがオフされると、スイッチ制御部２３２は制御スイッチ２１３をオン制御する。このため電源ＩＣ３１４は昇圧電圧ＶBOOSTを用いて電源電圧ＶOSを生成出力する。これによりＳＲＡＭ２２は情報を保持できる。
【００９３】
期間Ｔ７４に示すように、バッテリ１７が取り外され端子１ａがオープン状態になると、端子１ａの入力電圧（図１６にはＶBATTと記載）は０Ｖに低下するものの、昇圧電圧ＶBOOSTが高く保持されている。この期間Ｔ７４中の昇圧電圧ＶBOOSTは例えばバッテリ電圧ＶBATT（＝ＶBA0）より高く保持されている。このため、電源ＩＣ３１４は、昇圧電圧ＶBOOSTを用いて電源電圧ＶOSを生成出力する。これによりＳＲＡＭ２２は情報を保持する。マイコン１１６が電力消費するため、昇圧電圧ＶBOOSTは徐々に低下する。
【００９４】
期間Ｔ７５に示すように、バッテリ１７が取り外された状態で外部スイッチ３７がオフされる。外部スイッチ３７の状態ＥＳＷ参照。すると、電源ＩＣ３１４は、この外部スイッチ３７のオフ状態を検知し電源電圧ＶOSの出力を停止する。このため、マイコン１１６には電源電圧ＶOSが入力されることはない。このときＳＲＡＭ２２の記憶情報は消去される。このとき、マイコン１１６は電力消費しないため、昇圧電圧ＶBOOSTは一定電圧に保持される。
【００９５】
期間Ｔ７６に示すように、再度外部スイッチ３７がオンされると、電源ＩＣ３１４は昇圧電圧ＶBOOSTを用いて電源電圧ＶOSを生成しマイコン１１６に出力する。このとき、マイコン１１６が電力消費するため、昇圧電圧ＶBOOSTは徐々に低下する。
【００９６】
期間Ｔ７７に示すように、外部スイッチ３７がオンされたまま再度バッテリ１７が接続されたとしても、電源ＩＣ３１４は昇圧電圧ＶBOOSTがバッテリ電圧ＶBATTよりも高い間、昇圧電圧ＶBOOSTを用いて電源電圧ＶOSを生成出力する。同様に、マイコン１１６が電力消費するため、昇圧電圧ＶBOOSTは徐々に低下する。
【００９７】
期間Ｔ７８に示すように、昇圧電圧ＶBOOSTが消費されると、電源ＩＣ３１４はバッテリ電圧ＶBATT（＝ＶBA0）を用いて電源電圧ＶOSを生成出力する。
本実施形態によれば、電源ＩＣ３１４が、マイコン１１６に出力される電源電圧ＶOSを出力・停止する指令を例えば外部スイッチ３７から受け付けるようにしている。このため、マイコン１１６が情報保持するための電源電圧ＶOSを意図的に停止させることができる。このため、例えば作業者がバッテリ１７を交換するときに外部スイッチ３７を操作（例えばオフ）することでＳＲＡＭ２２の記憶内容を消去でき、利便性を高めることができる。
【００９８】
（他の実施形態）
本発明は、前述した実施形態に限定されるものではなく、種々変形して実施することができ、その要旨を逸脱しない範囲で種々の実施形態に適用可能である。例えば以下に示す変形又は拡張が可能である。
【００９９】
各種のスイッチ（放電スイッチ６、定電流スイッチ７、気筒選択スイッチ８、昇圧スイッチ２６）は、ＭＯＳトランジスタを用いて説明を行ったが、これはバイポーラトランジスタなど他種類のトランジスタや他の制御スイッチを用いても良い。
【０１００】
制御部４として制御ＩＣ１０４を用いて説明を行ったが、各種の制御用装置を用いることができる。この制御部４が提供する手段および／または機能は、実体的なメモリ装置に記録されたソフトウェアおよびそれを実行するコンピュータ、ソフトウェア、ハードウェア、あるいはそれらの組み合わせにより提供できる。前述実施形態では、説明の簡略化のため、Ｎ＝１気筒分のインジェクタ２を表記して説明を行ったが、Ｎ＝２気筒、４気筒、６気筒などの他気筒の場合においても同様の作用効果を奏する。
【０１０１】
前述した複数の実施形態を組み合わせて構成しても良い。また、特許請求の範囲に記載した括弧内の符号は、本発明の一つの態様として前述する実施形態に記載の具体的手段との対応関係を示すものであって、本発明の技術的範囲を限定するものではない。前述実施形態の一部を、課題を解決できる限りにおいて省略した態様も実施形態と見做すことが可能である。また、特許請求の範囲に記載した文言によって特定される発明の本質を逸脱しない限度において、考え得るあらゆる態様も実施形態と見做すことが可能である。
【０１０２】
本開示は、前述した実施形態に準拠して記述したが、本開示は当該実施形態や構造に限定されるものではないと理解される。本開示は、様々な変形例や均等範囲内の変形をも包含する。加えて、様々な組み合わせや形態、さらには、それらに一要素、それ以上、あるいはそれ以下、を含む他の組み合わせや形態をも、本開示の範畴や思想範囲に入るものである。
【符号の説明】
【０１０３】
図面中、１、１０１、２０１、３０１、４０１、５０１、６０１、７０１は電子制御装置（ＥＣＵ）、２はインジェクタ、１１６はマイクロコンピュータ（情報保持回路）、１４は電源部（情報保持用電源部）、１１４、２１４は電源ＩＣ（情報保持用電源部）、３１４は電源ＩＣ（情報保持用電源部、指令受付部）、５は昇圧回路、２１３は制御スイッチ、２３２はスイッチ制御部、３３３は降圧回路、ＶBATT、ＶBA0はバッテリ電圧、を示す。
【図１】
2018084198.tif 000003
【図２】
2018084198.tif 000004
【図３】
2018084198.tif 000005
【図４】
2018084198.tif 000006
【図５】
2018084198.tif 000007
【図６】
2018084198.tif 000008
【図７】
2018084198.tif 000009
【図８】
2018084198.tif 000010
【図９】
2018084198.tif 000011
【図１０】
2018084198.tif 000012
【図１１】
2018084198.tif 000013
【図１２】
2018084198.tif 000014
【図１３】
2018084198.tif 000015
【図１４】
2018084198.tif 000016
【図１５】
2018084198.tif 000017
【図１６】
2018084198.tif 000018